(57)【要約】【課題】突出部を有するデバイスが装着されても挿入口を蓋部材で覆うことができ、防滴／防水性が保たれるようにする。【解決手段】上ケース２ａと下ケース２ｂとを有する機器本体には、無線通信カード１６が挿入される挿入口１２ａが開口している。上ケース２ａには、挿入口１２ａを覆うための蓋６が開閉可能に設けられている。蓋６を閉じた状態では、機器本体と蓋６との間に空間１１が形成され、この空間１１内に無線通信カード１６のアンテナ部１６ｂが収容される。蓋６は、上ケース２ａの互いに隣り合う２面の一部を構成し、この互いに隣り合う２面は無線通信カード１６の挿入方向と平行な面を含む。蓋６は、上ケース２ａの無線通信カード１６の挿入方向と平行な面に、開閉可能に支持されている。そして、蓋６を開いたときに、空間１１は、挿入口１２に対向するとともに無線通信カード１６の挿入方向に直交する面側が開放されるように構成されている。【選択図】図２
2006172487.tif 000002
【特許請求の範囲】
【請求項１】
機能拡張用のデバイスが挿入される挿入口が備えられた機器本体と、前記挿入口を覆い前記デバイスの着脱の際に開閉される蓋部材とを有する電子機器において、
前記蓋部材の周縁部、および前記周縁部と当接する前記機器本体の部分に、互いに嵌合する嵌合構造を有し、
前記蓋部材を閉じたとき、前記機器本体と前記蓋部材との間に、前記挿入口に挿入することのできない突出部を有する前記デバイスの前記突出部を収容するための空間が形成され、
前記蓋部材は、電子機器の外装の互いに隣り合う２面の一部を構成し、
前記外装の互いに隣り合う２面は前記デバイスの挿入方向と平行な面を含み、前記蓋部材は、前記外装の前記デバイスの挿入方向と平行な面に、開閉可能に支持され、
前記蓋部材を開いたときに、前記空間は、前記挿入口に対向するとともに前記デバイスの挿入方向に直交する面側が開放されるように構成されていることを特徴とする電子機器。
【請求項２】
前記デバイスは、前記突出部であるアンテナ部を有する無線通信カードである、請求項１に記載の電子機器。
【発明の詳細な説明】
【技術分野】
【０００１】
本発明は、携帯型コンピュータ、ＰＤＡ（Ｐｅｒｓｏｎａｌ  Ｄｉｇｉｔａｌ  Ａｓｓｉｓｔａｎｔ）、ハンディターミナル、携帯通信機器などの電子機器に関し、特に、その機能を拡張するためのデバイスが装着可能な電子機器に関する。
【背景技術】
【０００２】
従来、携帯型コンピュータ、ＰＤＡ、ハンディターミナル、携帯通信機器などの電子機器においては、必要に応じてその機能を拡張できるようにするために、機能拡張用のデバイスを装着可能とした構成となっているものが多い。この種のデバイスとしては、他の機器との間で情報の送受信を行うための、通信カードなどの通信デバイスや、記憶容量を増大させるためのメモリなどが挙げられる。
【０００３】
このような電子機器は、機能拡張用のデバイスを装着するためのスロット（挿入口）を有している。スロットは、デバイスが装着されていないときには蓋部材で塞がれている。そして、デバイスを電子機器に装着するときには、蓋部材をスロットから取り外したり開いたりしてスロットからデバイスを挿入し、電子機器にデバイスを装着する。例えば特許文献１には、機能拡張用のデバイスとしてＰＣカードを装着可能な電子機器において、カード装着部のケースと機器本体のカード挿入口との間に枠状のカバー部材を設け、このカバー部材に、カード挿入口を開閉する蓋体が取り付けられた電子機器が開示されている。
【０００４】
ところで、電子機器の中でも特に携帯型の電子機器は、屋内だけでなく屋外での使用も考慮し、防滴構造が一般的に採用されている。このような電子機器の一例として、特許文献２には、機能拡張用のデバイスの挿入口をゴム製の防水キャップで覆うようにした電子機器が開示されている。この防水キャップは、デバイスの挿入口に嵌合されるように構成されるとともに内部が中空になっており、電子機器にデバイスが装着された状態でも、デバイスの端部を防水キャップの中空部に嵌合させた状態で、防水キャップを挿入口に嵌め込み、挿入口を防水することができる。
【特許文献１】特開平１０−３０７６４２号公報
【特許文献２】実開昭６０−２０６３７号公報
【発明の開示】
【発明が解決しようとする課題】
【０００５】
しかしながら、上述したような電子機器においては、拡張する機能も多種多様化しており、また、デバイス用のスロットのサイズも規格で定められていることが多いため、デバイスの中には、一部が電子機器から突出した状態で装着されるものもある。例えば、機能拡張用のデバイスの一つに無線通信カードがあるが、この無線通信カードにはアンテナ部が設けられており、無線通信カードはアンテナ部を突出させた状態で電子機器に装着される。
【０００６】
この場合、従来の電子機器では、デバイスを装着した状態では蓋部材（防水キャップ）を取り付けることができないため、防滴への対応ができなくなってしまう。そこで、デバイスを装着した状態でも防滴性能を維持するために、蓋部材をデバイスの突出した部分も収納できるように大きくしたり、電子機器の本体にデバイス全体が収納できる空間を設けた構造としたりすることが考えられる。しかし、単に蓋部材を大きくしたり電子機器の本体にデバイスの突出する部分のための空間を設けたりするだけでは、電子機器全体の外形がその分だけ大きくなってしまう。携帯性を重視する電子機器の場合には、このように電子機器全体が大型化してしまうことは好ましくない。
【０００７】
本発明の目的は、電子機器から突出して装着されるデバイスが装着された状態でもデバイスの挿入口を蓋部材で覆うことができ防滴性が損なわれない電子機器を提供することである。
【０００８】
本発明の他の目的は、上記目的に加えさらに、小型化を維持することのできる電子機器を提供することである。
【課題を解決するための手段】
【０００９】
上記目的を達成するため本発明の電子機器は、機能拡張用のデバイスが挿入される挿入口が備えられた機器本体と、挿入口を覆いデバイスの着脱の際に開閉される蓋部材とを有する電子機器において、
蓋部材の周縁部、および周縁部と当接する機器本体の部分に、互いに嵌合する嵌合構造を有し、
蓋部材を閉じたとき、機器本体と蓋部材との間に、挿入口に挿入することのできない突出部を有するデバイスの突出部を収容するための空間が形成され、
蓋部材は、電子機器の外装の互いに隣り合う２面の一部を構成し、
外装の互いに隣り合う２面はデバイスの挿入方向と平行な面を含み、蓋部材は、外装のデバイスの挿入方向と平行な面に、開閉可能に支持され、
蓋部材を開いたときに、空間は、挿入口に対向するとともにデバイスの挿入方向に直交する面側が開放されるように構成されていることを特徴とする。
【００１０】
上記のとおり構成された本発明の電子機器では、機器本体と蓋部材との間に空間が形成されるので、挿入口に、突出部を有するデバイスが挿入された場合であっても、蓋部材を閉じることができる。しかも、蓋部材を閉じた状態では、蓋部材および機器本体に設けられた嵌合構造により蓋部材内部への水の浸入が防止されるので、電子機器は、突出部を有するデバイスが装着されても防滴／防水性能が発揮される。
【００１１】
本発明は、アンテナ部を有する無線通信カードが装着される電子機器に特に有効である。無線通信カードに対応することで、防滴／防水性能を維持しつつ、他の機器との通信を行える。無線通信カード対応の電子機器の場合、蓋部材を閉じた状態でも通信を行えるように、蓋部材をエラストマ材料で形成することが好ましい。
【発明の効果】
【００１２】
以上説明したように本発明によれば、機器本体および蓋部材に互いの嵌合構造を有し、しかも機器本体と蓋部材の間に空間が形成される構造とすることで、挿入口から突出部が突出したデバイスが装着された場合であっても、蓋を閉じ、防滴／防水性を保つことができる。
【発明を実施するための最良の形態】
【００１３】
次に、本発明の実施形態について図面を参照して説明する。
【００１４】
図１は、本発明の一実施形態による携帯情報端末装置の斜視図である。図２は、図１に示す携帯情報端末装置の幅方向中央部での、機能拡張用のデバイスの挿入方向に沿った断面図であり、図３は、図１に示す携帯情報端末装置のデバイス装着部での幅方向に沿った断面図である。
【００１５】
本実施形態の携帯情報端末装置１は、操作部１ａと、表示部１ｂと、デバイス装着部１ｃとを有し、全体として略直方体形状である。操作部１ａは複数のキースイッチ３を有し、これらキースイッチ３を押下することにより、電源のオン／オフ、データの入力などを行うことができる。表示部１ｂは液晶ディスプレイ４を有し、キースイッチ３の押下による入力データや入力に応じた処理結果などが、この液晶ディスプレイ４に表示される。必要に応じて、液晶ディスプレイ４を保護するための保護窓（不図示）を液晶ディスプレイ４の表面に設置してもよい。
【００１６】
デバイス装着部１ｃは、必要に応じて携帯情報端末装置１の機能を拡張するためのデバイスを着脱可能に保持する部分である。デバイス装着部１ｃに装着されるデバイスはカード状のデバイスであり、例えば、メモリカード、アプリケーションカード、通信カードなどが挙げられる。本実施形態では、本体部１６ａとアンテナ部１６ｂとを有する無線通信カード１６が装着される場合を示している。
【００１７】
また、携帯情報端末装置１は、この携帯情報端末装置１が実行するプログラムや処理データなどを記録したメモリと、液晶ディスプレイ４やデバイス装着部１ｃに装着されたデバイス（以下、無線通信カード１６として説明する）など携帯情報端末装置１に搭載された各種デバイスおよび携帯情報端末装置１全体の制御を行う制御部とを有する。制御部による制御は、メモリに記録されたプログラムに基づいて行われる。制御部は、制御回路としてメモリとともにプリント基板に設けられている。
【００１８】
制御回路は、その役割に応じて複数のプリント基板に分割して設けられている。すなわち、携帯情報端末装置１全体の制御を行う主制御回路はメイン基板７に設けられ、液晶ディスプレイ４の表示の制御を行う表示制御回路はＬＣＤ基板８に設けられている。メイン基板７には、この携帯情報端末装置１のデバイス装着部１ｃに装着される無線通信カード１６のためのカードコネクタ１０も実装されている。
【００１９】
また、本実施形態では、電源オンやローバッテリーの情報を使用者に通知するためのＬＥＤ１４を有し、このＬＥＤ１４は、ＬＥＤ基板９に実装されている。ＬＥＤ１４による光は、導光部材１５を介して、携帯情報端末装置１の上面１ｅの端部に位置するＬＥＤ表示部１ｆへ導かれる。
【００２０】
これら液晶ディスプレイ４、メイン基板７、ＬＣＤ基板８、ＬＥＤ基板９などは、主として上ケース２ａと下ケース２ｂとで構成されるこの携帯情報端末装置１の外装の内部に収容されている。また、本実施形態の携帯情報端末装置１は、バッテリー１７で駆動され、このバッテリー１７も、携帯情報端末装置１の外装の内部に収容されている。これら上ケース２ａ、下ケース２ｂ、およびその内部に収容されている各要素で、この携帯情報端末装置１の機器本体が構成される。
【００２１】
ここで、デバイス装着部１ｃについて、上述した図１〜３および図４を参照して、より詳しく説明する。
【００２２】
デバイス装着部１ｃは、上述したカードコネクタ１０と、無線通信カード１６をカードコネクタ１０に対して抜き差しする際の本体部１６ａのガイドとなるケース部材１２と、上ケース２ａおよび下ケース２ｂとともにこの携帯情報端末装置１の外装の一部を構成する蓋６とを有する。
【００２３】
ケース部材１２は、無線通信カード１６の本体部１６ａが挿入される挿入口１２ａが設けられており、この挿入口１２ａを携帯情報端末装置１の幅方向と直角な方向における一端面である前端面１ｄに向けて、メイン基板７上に固定されている。これにより、無線通信カード１６は、前端面１ｄ側から抜き差しされる構造となっている。挿入口１２ａは、携帯情報端末装置１の外装の内部に位置しており、蓋６を閉じることによって覆われる。挿入口１２ａと前端面１ｄとの間には、上ケース２ａ、下ケース２ｂおよび蓋６で囲まれ、無線通信カード１６のアンテナ部１６ｂを収納するのに十分な大きさを有する空間１１が形成されている。
【００２４】
蓋６は、携帯情報端末装置１の外装の隣り合う２面の一部、具体的には前端面１ｄの一部およびそれに隣接する上面１ｅの一部を構成し、図２に示すように略Ｌ字形の断面を有する。それに伴い、上ケース２ａには、蓋６の形状に合致する開口部が形成されている。蓋６は、上ケース２ａの開口部を開閉するように、蓋６の一端部が支持軸６ａによって上ケース２ａの上面、すなわち携帯情報端末装置１の上面１ｅに回動自在に支持されている。
【００２５】
蓋６の周縁部、すなわち蓋６を閉じたときの蓋６の上ケース２ａとの当接部および下ケース２ｂとの当接部には、その全域にわたって凸部６ｂが形成されている。一方、上ケース２ａおよび下ケース２ｂの、蓋６の凸部６ｂに対応する部位には、凸部６ｂが嵌合する凹部が形成されている。これにより、一定の条件下では蓋６を閉じた状態で空間１１内に水が浸入しない構造、すなわち防滴／防水構造となっている。
【００２６】
機器の防滴／防水性は、ＪＩＳ  Ｃ０９２０で規定されており、例えば「防滴ＩＩ形」では、機器を正規の使用状態に対して前後左右の各方向に鉛直から１５度傾け、機器の上方２００ｍｍ以上の高さから毎分３〜３．５ｍｍの降水量で１０分間、水を滴下する実験を行い、機器の内部に正常な動作を阻害する浸水がないことが要求される。
【００２７】
本実施形態では、デバイス装着部１ｃ以外の部分においても、携帯情報端末装置１の外装を構成する各部材、例えば上ケース２ａと下ケース２ｂとの接触部に対しても上述の構成と同様の構成を適用し、携帯情報端末装置１全体としてＪＩＳに規定する「防滴ＩＩ形」を満足するように設計されている。
【００２８】
また、デバイス装着部１ｃには、カードコネクタ１０に装着された無線通信カード１６をカードコネクタ１０から抜去するのに用いられるイジェクトボタン１３が設けられている。イジェクトボタン１３は、この種のカード状のデバイスをコネクタから抜去するのに一般に用いられているのと同様に、イジェクトボタン１３を押し込むことによってデバイスをコネクタから引き抜く機構を有するものであるので、その説明は省略する。
【００２９】
以上説明したデバイス装着部１ｃでは、無線通信カード１６を装着する際は、図４（ａ）に示すように蓋６を上側に開いて空間１１を露出させる。この状態で、無線通信カード１６の本体部１６ａを挿入口１２ａから挿入し、カードコネクタ１０に装着する。以上で、デバイス装着部１ｃへの無線通信カード１６の装着が完了する。
【００３０】
無線通信カード１６は前述したようにアンテナ部１６ｂを有しており、このアンテナ部１６ｂは、本実施形態で用いたカードコネクタ１０の規格に適合する他のカード状デバイスに対して延長した部分として設けられている。そのため、アンテナ部１６ｂは挿入口１２ａに挿入することはできず、図４（ｂ）に示すように、無線通信カード１６は、そのアンテナ部１６ｂがケース部材１２から突出した状態で装着される。
【００３１】
しかし、ケース部材１２から突出しているアンテナ部１６ｂは空間１１内に位置しているので、無線通信カード１６を装着した状態でも、蓋６を閉じてその凸部６ｂを上ケース２ａおよび下ケース２ｂの凹部と噛み合わせ、防滴／防水性能を維持することができる。言い換えれば、携帯情報端末装置１に水滴がかかるような状況でも、他の機器と無線通信を行うことができる。
【００３２】
無線通信カード１６の使用中は、無線通信カード１６のアンテナ部１６ｂは蓋６で覆われることになる。したがって、蓋６は、アンテナ部１６ｂを覆っていても通信の妨げにならない材料で形成するのが望ましい。このような材料としては、好ましくはエラストマ材料が挙げられる。また、蓋６をエラストマ材料で構成することにより、蓋６を閉じたときの上ケース２ａおよび下ケース２ｂとの密着性が向上し、防滴／防水性能の向上にも効果がある。
【００３３】
蓋６をエラストマ材料で形成した場合、その厚さは、通信の妨げにならず、かつ蓋６としての強度を確保できるようにするために、１．５〜２．０ｍｍとすることが好ましい。また、図２では支持軸６ａを中心に回動して開閉する蓋６を示したが、蓋６をエラストマ材料で形成した場合には、それ自身の弾性力を利用して開閉する構成とすることもできる。
【００３４】
その場合の例を図５に示す。図５に示す例では、エラストマ材料で形成された蓋２６の一端部が上ケース２２ａに固定されている。そして、蓋２６の、上ケース２２ａとの固定部２２ｃよりも自由端側には、肉薄部２６ａが、上ケース２２ａとの固定部に沿って形成されている。これにより、肉薄部２６ａは他の部分よりも弾性変形しやすくなるので、肉薄部２６ａを支点にして矢印で示す方向に蓋２６を開閉することができる。
【００３５】
ところで、本実施形態では無線通信カード１６のアンテナ部１６ｂが収容される空間１１を携帯情報端末装置１に設けているが、従来の携帯情報端末装置に対して単にこの構成を適用しただけでは、携帯情報端末装置の外形が大きくなるだけである。これに対し、本実施形態では、前述したように、制御回路を複数のプリント基板（メイン基板７、ＬＣＤ基板８、およびＬＥＤ基板９）に分割し、カードコネクタ１０が実装されるメイン基板７の面積を小さくしている。しかもそれらの各基板を、図２に示すように互いの厚み方向に異なる位置に配置し、携帯情報端末装置１の外装の内部に空間１１を確保している。これにより、携帯情報端末装置１を大型化することなく、無線通信カード１６のアンテナ部１６ｂを蓋６で覆う構成とすることができる。
【００３６】
また、電源オンやローバッテリーといった情報は、使用者の目につきやすいように、携帯情報端末装置１の上面１ｅの端部に表示することが望ましい。ところが、図２や図３に示すように、本実施形態では、空間１１を確保する構成としているので、電源オンやローバッテリーの表示に用いられるＬＥＤ１４は、上面１ｅから離れた位置に配置されたＬＥＤ基板９に実装されている。しかも、ＬＥＤ基板９は、下ケース２ｂに取り付ける際のネジ止め用ボスが邪魔になったり、下ケース２ｂの角部が丸みを帯びたデザインとされたりするなど、その設置位置が制約され、また、ＬＥＤ基板９上のＬＥＤ１４の位置も、ＬＥＤ基板９の周囲に余白が必要であるからＬＥＤ基板９の縁部に実装することはできない。このような構造上の理由により、ＬＥＤ１４を、携帯情報端末装置１の端部に位置するＬＥＤ表示部１ｆの真下に配置するのは困難である。したがって、本実施形態のようなＬＥＤ基板９の配置では、ＬＥＤ１４の光をそのままＬＥＤ表示部１ｆに表示させるのは困難である。
【００３７】
そこで、本実施形態では、図２および図３に示すように、ＬＥＤ１４とＬＥＤ表示部１ｆとの間に、例えば透明なアクリル樹脂で形成された導光部材１５を配置し、ＬＥＤ１４の光を、他の部材を避けるように屈曲させてＬＥＤ表示部１ｆに導いている。これにより、ＬＥＤ基板９の設置位置によらず、ＬＥＤ１４の光を所望の位置に表示させることができる。その結果、ＬＥＤ基板９の設置位置の自由度が向上するので、携帯情報端末装置１を大型化することなく空間１１を確保し易くすることができる。
【００３８】
ＬＥＤ基板９の位置とＬＥＤ表示部１ｆの位置とが離れている場合、ＬＥＤ１４をＬＥＤ表示部１ｆに設置し、ＬＥＤ１４とＬＥＤ基板９とを配線で接続することも考えられる。しかし、この方法は組立が煩雑になるので、生産性を考慮すると、上述のように導光部材１５を用いる方が好ましい。
【００３９】
再び図４（ｂ）に戻り、デバイス装着部１ｃに装着された無線通信カード１６を取り出す際の動作について説明する。
【００４０】
無線通信カード１６を取り出すには、閉じている蓋６を開け、この状態でイジェクトボタン１３を押し込む。これにより、無線通信カード１６がカードコネクタ１０（図２参照）から外れるので、無線通信カード１６のアンテナ部１６ｂを持って無線通信カード１６をケース部材１２から引き抜くことができる。
【００４１】
イジェクトボタン１３の押し込みは、この携帯情報端末装置１に付属しているスタイラスペン（不図示）の先端で行う。このため、イジェクトボタン１３の先端面には、スタイラスペンでイジェクトボタン１３を押し込んだときにスタイラスペンの先端がずれないようにするための凹部１３ａが形成されている。なお、デバイス装着部１ｃに装着されているデバイスが、メモリカードのように、装着された状態で空間１１に突出している部分がないような場合は、イジェクトボタン１３を指で押し込むこともできる。
【００４２】
上述したように、本実施形態では、蓋６は、携帯情報端末装置１の上面１ｅの一部をも構成しており、蓋６を開くことによって、デバイス装着部１ｃの空間１１を、携帯情報端末装置１の上面１ｅ側から目視で確認することができる。蓋６をこのような構成とすることにより、蓋６を開いたときの開口領域を広くとることができるので、無線通信カード１６の挿入口１２ａが携帯情報端末装置１の外装の内部に位置していても、無線通信カード１６の着脱作業や装着状態を目視で容易に確認することができる。また、蓋６の開閉動作の支点を、無線通信カード１６の挿入方向と平行な面である、携帯情報端末装置１の上面１ｅに配置することにより、蓋６のわずかな開閉動作で無線通信カード１６を挿入するのに必要な経路を確保することができる。その結果、蓋６が無線通信カード１６の着脱の邪魔になることはなく、無線通信カード１６の着脱作業を容易に行うことができる。
【００４３】
また、本実施形態では、装着された無線通信カード１６を取り外す際、スタイラスペンを用いることは、前述したとおりである。しかし、イジェクトボタン１３は空間１１の奥に位置しているので、イジェクトボタン１３の大きさや、空間１１の奥行きによっては、イジェクトボタン１３が見にくく、スタイラスペンの位置決めが難しい場合がある。イジェクトボタン１３の長さを長くすることも考えられるが、その場合はイジェクトボタン１３がぐらついたり折れたりすることもある。そこで、スタイラスペンによるイジェクトボタン１３の押し込み動作を容易に行えるようにするために、デバイス装着部１ｃの空間１１に、スタイラスペンの押し込み動作を案内する構造を設けることが好ましい。
【００４４】
図６（ａ）、（ｂ）に、その例を示す。なお、図６において、図４と同じ要素については図４と同じ符号を付し、その説明は省略する。
【００４５】
図６（ａ）では、ガイド部材３１が、デバイス装着部１ｃの空間１１の、スタイラスペン（破線で示す）が通過する領域と、無線通信カードが装着される領域との間に、壁構造として設けられている。ガイド部材３１は、下ケース２ｂと一体に形成することができる。このようなガイド部材３１を設けることにより、スタイラスペンの位置が規制されるので、スタイラスペンを真っ直ぐに押し進め、イジェクトボタン１３を確実かつ容易に押し込むことができる。
【００４６】
図６（ｂ）では、デバイス装着部１ｃの空間１１の、スタイラスペン（破線で示す）が通過する領域に、ガイド部材４１が設けられている。このガイド部材４１は、上面４１ａがスタイラスペンの外形に対応した凹曲面状に形成されている。スタイラスペンの側面をガイド部材４１の上面４１ａの上に載せた状態でスタイラスペンを押し込むことにより、スタイラスペンは上面４１ａにガイドされて、イジェクトボタン１３に向けて真っ直ぐに押し進められる。このガイド部材４１も、下ケース２ｂと一体に形成することができる。
【００４７】
以上、図６に２種類のガイド部材３１，４１を示したが、イジェクトボタン１３を押し込む際のスタイラスペンの移動を案内し得るものであれば、ガイド部材は図６に示したものに限られない。また、ガイド部材の位置および大きさは、イジェクトボタン１３を指で押し込むことができる空間をイジェクトボタン１３の周囲に確保できるような位置および大きさとすることが好ましい。
【００４８】
次に、本発明の参考形態について、図７および図８を参照して説明する。
【００４９】
図７は、本発明の参考形態による携帯情報端末装置の要部斜視図であり、図８は、図７に示す携帯情報端末装置の、機能拡張用のデバイスの挿入方向に沿った断面図である。
【００５０】
本参考形態の携帯情報端末装置５１では、デバイス装着部はケース５２の前端面５２ａに位置し、無線通信カード６６の挿入口６２ａがケース５２の前端面５２ａに開口している。無線通信カード６６は、そのアンテナ部６６ｂがケース５２の前端面５２ａから突出した状態で装着される。蓋５６は、カップ状に形成されており、ケース５２の前端面５２ａに着脱可能に設けられており、蓋５６とケース５２とで、この携帯情報端末装置５１の外装が構成される。蓋５６をケース５２に取り付けたとき、蓋５６の内面とケース５２の前端面５２ａとで囲まれる空間６１は、アンテナ部６６ｂを収容するのに十分な大きさを有している。
【００５１】
蓋５６の、ケース５２との当接部には、その全域にわたって凸部５６ａが形成され、それに対応して、ケース５２の前端面５２ａには、凸部５６ａが嵌合する凹部５２ｂが形成されている。この互いに噛み合う凹凸構造は、蓋５６をケース５２に取り付けた状態で所望の防滴／防水性能を満たすように設計されている。
【００５２】
したがって、この携帯情報端末装置５１は、無線通信カード６６を装着した状態でも、蓋５６を取り付け、所望の防滴／防水性能を維持することができる。
【００５３】
また、本参考形態においても、ケース５２の内部に設置されるプリント基板のレイアウト等を前述の実施形態と同様に工夫してケース５２を小型化し、蓋５６を含めた携帯情報端末装置５１全体の大きさを従来と同等に維持している。
【００５４】
以上、本発明を代表的な幾つかの実施形態によって説明した。上述した実施形態では、電子機器として携帯情報端末装置を例に挙げたが、本発明が適用される電子機器はこれに限られるものではなく、機能拡張用のデバイスが着脱自在な構造を有するものであればどのようなものであってもよい。また、機能拡張用のデバイスとしてカード状のデバイスを例に挙げたが、デバイスの形式、形状、種類、さらには機能についても、何ら限定されるものではない。
【図面の簡単な説明】
【００５５】
【図１】本発明の一実施形態による携帯情報端末装置の斜視図である。
【図２】図１に示す携帯情報端末装置の幅方向中央部での、機能拡張用のデバイスの挿入方向に沿った断面図である。
【図３】図１に示す携帯情報端末装置のデバイス装着部での幅方向に沿った断面図である。
【図４】図１に示す携帯情報端末装置のデバイス装着部へのデバイスの装着状態を説明するための斜視図であり、同図（ａ）はデバイスが装着されてない状態を示し、同図（ｂ）はデバイスが装着された状態を示している。
【図５】エラストマ材料で形成した蓋の一例の断面図である。
【図６】デバイス装着部の空間に設けられたガイド部材の例を示す斜視図である。
【図７】本発明の参考形態による携帯情報端末装置の要部斜視図である。
【図８】図７に示す携帯情報端末装置の、機能拡張用のデバイスの挿入方向に沿った断面図である。
【符号の説明】
【００５６】
１，５１    携帯情報端末装置
１ａ    操作部
１ｂ    表示部
１ｃ    デバイス装着部
１ｄ    前端面
１ｅ    上面
１ｆ    ＬＥＤ表示部
２ａ，２２ａ    上ケース
２ｂ    下ケース
３    キースイッチ
４    液晶ディスプレイ
６，２６，５６    蓋
６ａ    支持軸
６ｂ，５６ａ    凸部
７    メイン基板
８    ＬＣＤ基板
９    ＬＥＤ基板
１０    カードコネクタ
１１，６１    空間
１２    ケース部材
１２ａ，６２ａ    挿入口
１３    イジェクトボタン
１５    導光部材
１６，６６    無線通信カード
１６ａ    本体部
１６ｂ，６６ｂ    アンテナ部
１７    バッテリー
２２ａ    肉薄部
２２ｃ    固定部
３１，４１    ガイド部材
５２    ケース
５２ａ    前端面
５２ｂ    凹部
【図１】
2006172487.tif 000003
【図２】
2006172487.tif 000004
【図３】
2006172487.tif 000005
【図４】
2006172487.tif 000006
【図５】
2006172487.tif 000007
【図６】
2006172487.tif 000008
【図７】
2006172487.tif 000009
【図８】
2006172487.tif 000010